(57)【要約】【課題】  手袋や靴下の周回編成時に、編端で両側の針床の編針が編糸を引合う事態を避けることができる横編機を提供する。【解決手段】  度山Ｒレバー３６の腕の先端は、度山Ｒスライド部材３９から突出する円筒部３９ａに当接し、度山Ｒスライド部材３９と度山Ｒとは連結部材３９ｂ，３９ｃを介して連結されている。同様に、度山Ｌレバー４０の先端には、度山Ｌスライド部材４４の円筒部４４ａが当接し、度山Ｌスライド部材４４と度山Ｌとは連結部材４４ｂ，４４ｃを介して連結されている。度山Ｒ駆動バー３１を矢印方向に変位させれば、度山Ｒおよび度山Ｌを長溝１２Ｒ，１２Ｌに沿ってそれぞれ変位させ、度目調整を行うことができる。度山Ｌレバー４０には、鉄砲山駆動バー３２に当接する度山Ｌ切換側ローラ４３も設けられており、度山Ｒ駆動バー３１を介しての度山Ｌの度目制御は、鉄砲山が作用するように突出していることが前提となる。【選択図】  図１
2008007916.tif 000002
【特許請求の範囲】
【請求項１】
歯口を挟んで対向する一対の平針床の各針床に、針床の長手方向に沿って往復走行するキャリッジをそれぞれ設けて連動させ、各キャリッジに針床の編針を駆動するために設けるカム機構に、キャリッジの往復走行の両方向でそれぞれ各針床の編針が歯口に進退するように編針を押し上げる上げカムと編針を引き下げる下げカムとを配置し、下げカムとなる度山の度目調整と、編糸が予め定める方向に周回するように給糸しながら筒状の編地を編成する際には各針床で該周回の逆方向となる側の上げカムとなる鉄砲山の作用と不作用との切換えとを、各針床にキャリッジの走行方向に沿って設ける駆動バーを介して行う横編機において、
駆動バーとして、
キャリッジの往復走行の両方向について、度目調整での調整量に対応して変位するように駆動される調整用駆動バーと、
鉄砲山の作用と不作用とを切換えるために駆動される切換用駆動バーとを、
含み、
キャリッジに搭載される機構として、
調整用駆動バーの変位量に応動して、該周回の順方向となる側の度山の度目を変化させる順側調整機構と、
切換用駆動バーの駆動状態に応動して、鉄砲山を作用と不作用とに切換える切換機構と、
切換用駆動バーに応動して、切換用駆動バーが鉄砲山の作用に切換えられるときには度目が予め定める基準よりも大きくなる駆動位置に、切換用駆動バーが鉄砲山の不作用に切換えられるときには度目が該基準以下となる休止位置に、該周回の逆方向となる側の度山をそれぞれ変位させる逆側調整機構とを、
含むことを特徴とする横編機。
【請求項２】
前記逆側調整機構は、前記周回の逆方向となる側の度山の駆動位置を、前記順側調整機構による度目の変化に連動させて変化させることを特徴とする請求項１記載の横編機。
【請求項３】
前記逆側調整機構は、支点を中心に揺動変位可能で、支点から延出される腕の先端で前記周回の逆方向となる側の度山を変位させ、該腕の途中に、前記調整用駆動バーに摺接する調整側ローラと、前記切換用駆動バーに摺接する切換側ローラとを有することを特徴とする請求項１または２記載の横編機。
【発明の詳細な説明】
【技術分野】
【０００１】
本発明は、手袋編機や靴下編機など、比較的狭い編幅の筒状編地を編成する横編機に関する。
【背景技術】
【０００２】
従来から、手袋や靴下などの基本的に筒状の編地は、図５に示すような構成の横編機１で編成されている。横編機１には、一対の平針床２Ｆ，２Ｂが歯口３を挟んで対向するように設けられる。なお、一対の平針床２Ｆ，２Ｂは、歯口３を頂部とするような山形に傾斜して配置されるけれども、図５では歯口３の上方から見た状態を、簡略化して平坦な状態として示す。一対の針床２Ｆ，２Ｂは、歯口３の中心に対して、横編機１の前後に配置されるので、前針床２Ｆおよび後針床２Ｂと呼ばれるけれども、基本的構成は同等である。以下、前後で同一の構成要素には、「Ｆ」および「Ｂ」の添字を省略した符号を付して示すことがある。各針床２Ｆ，２Ｂには、長手方向に沿って往復走行するキャリッジ４Ｆ，４Ｂをそれぞれ設けて連動させる。
【０００３】
各キャリッジ４Ｆ，４Ｂには、各針床２Ｆ，２Ｂに並設される針溝内を歯口３に対して進退移動可能な編針を駆動するカム機構５が搭載される。カム機構５は、キャリッジ４Ｆ，４Ｂの往復の走行時に共通に使用される中山６および中山ガイドカム７とともに、上げカムとしてのレイジングカム８および鉄砲山９、中山６の上縁との間で編針のバットの通路を形成する下縁を有する天山１０、および下げカムとしての度山１１Ｌ，１１Ｒを含む。中山６、中山ガイドカム７、レイジングカム８、鉄砲山９、天山１０および度山１１Ｌ，１１Ｒは、カム面５ａの背面から透視した状態の配置として示す。カム機構５は、キャリッジ４Ｆ，４Ｂが針床２Ｆ，２Ｂに臨むカム面５ａの表面に配置される。各キャリッジ４Ｆ，４Ｂの針床２Ｆ，２Ｂに対する走行方向は、各針床２Ｆ，２Ｂで歯口３側を上方とする状態で、カム面５ａのカム側から見て左方または右方と定められる。したがって、図５の右方への走行は、前針床２Ｆ側のキャリッジ４Ｆのカム５ａ面から見れば左方への走行であり、下げカムとして作用するのは符号１１Ｌで示す度山Ｌとなる。前針床２Ｆ側のキャリッジ４Ｆと連動する後針床２Ｂ側のキャリッジ４Ｂについては、歯口３を上方としてカム面５ａから見れば右方への走行であり、下げカムとして作用するのは符号１１Ｒで示す度山Ｒとなる。キャリッジ４Ｆ，４Ｂが図５の左方に走行する際には、前針床２Ｆ側では符号１１Ｒで示す度山Ｒが作用し、後針床２Ｂ側では符号１１Ｌで示す度山Ｌが作用する。
【０００４】
図５に示すような横編機１では、手袋や靴下などで筒状の編地の部分を、編糸を周回するように供給して編成する。この周回編成は、たとえば各カム機構５を搭載するキャリッジ４Ｆ，４Ｂが歯口３を上にした状態の各針床２Ｆ，２Ｂに臨むカム面５ａ側から見て右行するように行われる。したがって、図５のように歯口３の上方から見ると、カム面５ａの裏側から透視して見る状態となり、前針床２Ｆでは図の左方、後針床２Ｂでは図の右方がそれぞれ周回編成の方向になる。このように、周回編成は、基本的に各針床２Ｆ，２Ｂ毎に異なる一方向に行われる。カム面５ａ側から見て右行する周回編成は、キャリッジ４Ｆ，４Ｂの走行方向の後側となる度山Ｒのみを編針の引き下げ量が所定値よりも大きくなるように度目調整して編成に利用し、度山Ｌは編針の引き下げ量が最小となる休止状態にして行われる。この理由は、度山Ｌを休止状態としないで、左右の度山をともに所定値よりも大きい引き下げ量で編針を引き下げるように作用させると、前後の針床２Ｆ，２Ｂで同時に編針が歯口３から引き下げられてしまうからである。筒状編地の編端で前後針床２Ｆ，２Ｂに渡る編糸が両側から引かれると、度目値を大きく設定しているような場合は過剰に引かれて糸切れを起こす可能性があって好ましくない。このような糸切れの可能性を低減するためには、周回編成に使用しない度山Ｌを休止状態にすることが好ましい。
【０００５】
図５に示すカム機構５で、度山１１Ｌ，１１Ｒは、長溝１２Ｌ，１２Ｒに沿って変位し、度目調整が行われる。通常の編成状態で、一方向の筒状編成を行う際には、編地の編成には一方の針床が使用され、他方の針床は使用しない状態を、交互に繰返す。図５のカム機構５では、度山Ｒで引き下げるための編針を歯口３に上昇させるレイジングカム８は常に作用させ、逆方向の走行で編針を歯口３に上昇させる鉄砲山９は、出没切換え可能とし、通常はカム面５ａに陥没させて不作用にしている。
図６は、図５に示すカム機構５で駆動する編針２０の概略的な構成を示す。編針２０は、ニードル２１の尾部とジャック２２の頭部とを連結させて形成してある。ニードル２１の先端部には、フック２３とラッチ２４とが設けられ、ラッチ２４でフック２３を開閉することができる。ジャック２２は、尾部側で針床２の下部に設けられる選針ドラムの選針作用を受ける。ニードル２１およびジャック２２には、ニードルバット２５およびジャックバット２６がそれぞれ設けられ、選針されると、ジャックバット２６が図５に示すカム機構５の作用を受ける状態となる。手袋や靴下を編成する横編機１のキャリッジ４には、ジャックバット２６に作用して、ゴム糸を挿入する編成を行うためのゴム山と呼ばれるカムも設けられるけれども、図５では図示を省略している。また、靴下を専用に編成する場合は、ニードルバット２５に作用して編針２０の使用と不使用とを切換えるピッカもキャリッジ４に設けられるけれども、図５では図示を省略している。
【０００６】
図７は、周回編成時の各カムの作用を、カム面５ａのカム側から見た状態で示す。破線で示す鉄砲山９は、カム面５ａに陥没している不作用の状態に切換えられている。
図７（ａ）に示すように、順方向となる右行時には、編針２０のジャックバット２６は、レイジングカム８の上げカム８ａに沿って上昇する経路２６ａを通る。レイジングカム８は、上げカム８ａとともに、傾斜面８ｂを有し、全体としてカム面から針床２側に突出するようにばね付勢されている。上げカム８ａで上昇したジャックバット２６の経路２６ａは、中山６の上縁と天山１０の下縁との間を通り、符号１１Ｒで示す度山Ｒで引き下げられる。
【０００７】
図７（ｂ）に示すように、逆方向となる左行時には、編針２０のジャックバット２６は、経路２６ｂを通って陥没状態の鉄砲山９を通過し、レイジングカム８の傾斜面８ｂに至る。傾斜面８ｂで図の左方側にはカム面５ａからジャックバット２６が円滑に移行することができ、ジャックバット２６が図の右方側にさらに移行すると、レイジングカム８をカム面５ａから突出させるように付勢しているばね力に抗して、レイジングカム８はカム面５ａに陥没し、ジャックバット２６は上げカム８ａの部分も通過する。符号１１Ｌで示す度山Ｌが休止状態であれば、編針２０の引き下げは最小限となる。しかしながら、符号１１Ｒで示す度山Ｒと同等以上の度目値まで度山Ｌが長溝１２Ｌに沿って引き下げられていれば、編針２０のジャックバット２６を最小限よりも大きく引き下げてしまう。なお、鉄砲山９がカム面から突出する状態であれば、図７（ａ）に示すレイジングカム８の上げカム８ａと同様にジャックバット２６を上昇する経路に案内することができる。
【０００８】
手袋または靴下を専用に編成する横編機１は、手袋編機または靴下編機と呼ばれ、汎用の横編機に比較して、キャリッジ４の小形軽量化などによる運転の高速化、生産性の向上等が図られている。キャリッジ４に搭載される編成駆動用のカム機構５の度山の度目調整を針床２側からの駆動で行えば、キャリッジ４にはステッピングモータなどの駆動源を搭載する必要がなくなり（たとえば、特許文献１参照。）、小形軽量化を図ることができる。特許文献１の図１および図２に開示されている手袋編等の横編機における度山制御装置では、両方の度山の度目調整を、共通の駆動バーで連動して行っている。
【０００９】
図８は、図５に示す横編機１での度山Ｒと度山Ｌとの位置関係のみを示す。前後の針床で、度山Ｒ同士および度山Ｌ同士は、互いに交差する位置関係にある。たとえば、キャリッジ４の左方へ走行で編端に至り、キャリッジ４の走行方向を反転する場合を想定する。図７に示すように度山Ｌを休止状態にしておけば、編端で度山Ｒが編針を引き下げても、対向側の針床に掛かる編糸への影響は小さい。編端で対向する度山Ｒと度山Ｌとの間で編糸を引き合えば、編糸が切れる可能性がある。したがって、特許文献１に開示されているように、度山Ｒと度山Ｌとの両方を共通の駆動バーで連動して度目調整すると、編端で両側の針床の編針が編糸を引き合う事態が生じうる。
【００１０】
なお、手袋や靴下での指先の編出しや指股の股閉じの部分や、靴下の踵部の編成などでは、図７に示す鉄砲山８を突出させて、左右の度山Ｌおよび度山Ｒを連動させて編針２０を引き下げる。編出しや股閉じでは、少なくとも一方の度目値を小さく設定する。靴下の踵部の編成では、一方の針床のみで編成動作を行い、他方の針床は休止させる。したがって、編出しや股閉じ、踵部の編成では、両側の針床の編針が編糸を引き合う事態にはならない。
【特許文献１】特開平３−１８５１６１号公報
【発明の開示】
【発明が解決しようとする課題】
【００１１】
特許文献１に開示されているような共通の駆動バーで度山Ｒと度山Ｌとの度目調整を行う構成では、編端で両側の針床の編針が編糸を引き合う事態が生じうるので、度目値の設定で制限を受けるおそれがある。度山Ｌを度山Ｒと独立した駆動バーで度目調整可能にしておけば、編糸を両側から引き合う問題を回避することができるけれども、駆動バーの使用数が多くなってしまう。図５に示すカム機構５では、１１Ｌ，１１Ｒで示す度山Ｌおよび度山Ｒの度目制御とともに、鉄砲山８の出没切換えが必要となる。カム機構５でタック編成を可能にするためには、中山６および中山ガイドカム７を出没可能にし、その出没を切換える必要もある。さらに、図６のニードルバット２５に作用するゴム山も、出没切換えを必要とする。
【００１２】
本発明の目的は、手袋や靴下の周回編成時に、編端で両側の針床の編針が編糸を引合う事態を避けることができる横編機を提供することである。
【課題を解決するための手段】
【００１３】
本発明は、歯口を挟んで対向する一対の平針床の各針床に、針床の長手方向に沿って往復走行するキャリッジをそれぞれ設けて連動させ、各キャリッジに針床の編針を駆動するために設けるカム機構に、キャリッジの往復走行の両方向でそれぞれ各針床の編針が歯口に進退するように編針を押し上げる上げカムと編針を引き下げる下げカムとを配置し、下げカムとなる度山の度目調整と、編糸が予め定める方向に周回するように給糸しながら筒状の編地を編成する際には各針床で該周回の逆方向となる側の上げカムとなる鉄砲山の作用と不作用との切換えとを、各針床にキャリッジの走行方向に沿って設ける駆動バーを介して行う横編機において、
駆動バーとして、
キャリッジの往復走行の両方向について、度目調整での調整量に対応して変位するように駆動される調整用駆動バーと、
鉄砲山の作用と不作用とを切換えるために駆動される切換用駆動バーとを、
含み、
キャリッジに搭載される機構として、
調整用駆動バーの変位量に応動して、該周回の順方向となる側の度山の度目を変化させる順側調整機構と、
切換用駆動バーの駆動状態に応動して、鉄砲山を作用と不作用とに切換える切換機構と、
切換用駆動バーに応動して、切換用駆動バーが鉄砲山の作用に切換えられるときには度目が予め定める基準よりも大きくなる駆動位置に、切換用駆動バーが鉄砲山の不作用に切換えられるときには度目が該基準以下となる休止位置に、該周回の逆方向となる側の度山をそれぞれ変位させる逆側調整機構とを、
含むことを特徴とする横編機である。
【００１４】
また本発明で、前記逆側調整機構は、前記周回の逆方向となる側の度山の駆動位置を、前記順側調整機構による度目の変化に連動させて変化させることを特徴とする。
【００１５】
また本発明で、前記逆側調整機構は、支点を中心に揺動変位可能で、支点から延出される腕の先端で前記周回の逆方向となる側の度山を変位させ、該腕の途中に、前記調整用駆動バーに摺接する調整側ローラと、前記切換用駆動バーに摺接する切換側ローラとを有することを特徴とする。
【発明の効果】
【００１６】
本発明によれば、編糸が予め定める方向に周回するように給糸しながら筒状の編地を編成する際には周回の順方向となる側の度山の度目を、針床側の調整用駆動バーからキャリッジに搭載される順側調整機構を介して調整することができる。周回の逆方向となる側の度山は、切換用駆動バーが鉄砲山を不作用に切換えられるときには、度目が基準以下となる休止位置になるので、手袋や靴下の周回編成時に、編端で両側の針床の編針が編糸を引合う事態を避けることができる。鉄砲山を作用に切換えると、逆側調整機構は周回編成時には周回の逆方向となる側の度山を、編針のバットを駆動する駆動位置に変位させるので、針床を往復走行するキャリッジで、両側の針床を使用する編出しや股閉じの編成や、片側のみの針床を使用する靴下の踵部の編成を行うことができる。
【００１７】
また本発明によれば、周回の逆方向となる側の度山の駆動位置を、順側調整機構による周回の順方向となる側の度山の度目の変化に連動させて変化させるので、周回の順方向となる側と同等の度目に調整することができる。たとえば靴下の踵部の編成では、目減らしと目増やしとを伴う片側の針床での往復編成を、両方向とも同等に行うことができる。
【００１８】
また本発明によれば、逆側調整機構は、支点を中心に揺動変位可能で、支点から延出される腕の先端で周回の逆方向となる側の度山を変位させ、腕の途中に、調整用駆動バーに摺接する調整側ローラと、切換用駆動バーに摺接する切換側ローラとを有するので、独立した駆動バーを設けなくても、周回編成時の順方向走行時の休止位置への変位と、往復走行での順方向側との同等の度目制御とを行うことができる。
【発明を実施するための最良の形態】
【００１９】
図１〜図４は、本発明の実施の一形態としての横編機３０の概略的な構成を示す。なお、以下の説明で、先に説明している部分と対応する部分は、同一の参照符を付し、重複する説明を省略する。
【００２０】
図１は、本実施形態の横編機３０の一方の針床側についての部分的な構成を簡略化して示す。（ａ）は、キャリッジ４のカム面５ａでカムを駆動する機構側の配置を示す。（ｂ）は、（ａ）で度山Ｒ駆動バー３１と鉄砲山駆動バー３２とに関する部分を上方側から見た状態で示す。横編機３０は、各針床に、調整用駆動バーである度山Ｒ駆動バー３１と切換用駆動バーである鉄砲山駆動バー３２とを、それぞれ設け、図１に示す基準位置から、矢印方向に変位させる駆動源を備える。各キャリッジ４には、順側調整機構３３、逆側調整機構３４および切換機構３５が搭載される。順側調整機構３３は、度山Ｒレバー３６、度山Ｒレバー揺動軸３７、および度山Ｒローラ３８と、度山Ｒスライド部材３９とを含む。逆側調整機構３４は、度山Ｌレバー４０、度山Ｌレバー揺動軸４１、度山Ｌ調整側ローラ４２、および度山Ｌ切換側ローラ４３と、度山Ｌスライド部材４４とを含む。切換機構３５は、鉄砲山レバー４５、鉄砲山レバー揺動軸４６、および鉄砲山ローラ４７を含む。度山Ｒレバー３６、度山Ｌレバー４０、および鉄砲山レバー４５は、度山Ｒレバー揺動軸３７、度山Ｌレバー揺動軸４１および鉄砲山レバー揺動軸４６を支点として、揺動変位可能である。度山Ｒレバー３６、度山Ｌレバー４０、および鉄砲山レバー４５は、度山Ｒレバー揺動軸３７、度山Ｌレバー揺動軸４１および鉄砲山レバー揺動軸４６からそれぞれ一方側に延びる腕の途中に、度山Ｒローラ３８と、度山Ｌ調整側ローラ４２および度山Ｌ切換側ローラ４３と、鉄砲山ローラ４７とが設けられる。
【００２１】
度山Ｒローラ３８は度山Ｒ駆動バー３１に接触する。度山Ｒレバー３６の腕の先端は、度山Ｒスライド部材３９から突出する円筒部３９ａに当接する。度山Ｒスライド部材３９は、長溝１２Ｒに沿って変位可能であり、度山Ｒとはボルトなどの連結部材３９ｂ，３９ｃを介して連結されている。また、図示を省略しているばねで、度山Ｒスライド部材３９は、図１（ａ）の右下方向に付勢されている。同様に、度山Ｌ調整側ローラ４２は、度山Ｒ駆動バー３１に接触し、度山Ｌレバー４０の先端は、度山Ｌスライド部材４４から突出する円筒部４４ａに当接する。度山Ｌスライド部材４４は、長溝１２Ｌに沿って変位可能であり、度山Ｌとは連結部材４４ｂ、４４ｃを介して連結されている。度山Ｌスライド部材４４も、図示を省略しているばねで、図１（ａ）の左下方向に付勢されている。図１（ａ）に示す状態では、度山Ｒスライド部材３９および度山Ｌスライド部材４４は、長溝１２Ｒ，１２Ｌのそれぞれ上端付近に位置している。したがって、度山Ｒ駆動バー３１を矢印方向に変位させれば、度山Ｒばかりではなく、度山Ｌも長溝１２Ｒ，１２Ｌに沿ってそれぞれ斜め下方に変位させ、度目調整を行うことができる。
【００２２】
ただし、度山Ｌレバー４０には、鉄砲山駆動バー３２に当接する度山Ｌ切換側ローラ４３も設けられており、度山Ｒ駆動バー３１を介しての度山Ｌの度目制御は、鉄砲山駆動バー３２も図の矢印方向に下がるように変位していることが前提となる。鉄砲山ローラ４７は、鉄砲山レバー４０を揺動変位させる支点となる鉄砲山レバー揺動軸４６から一方に延びる腕の途中に設けられている。この腕の先端は傾斜部４５ａとなっている。傾斜部４５ａは、図示を省略している鉄砲山９の出没部材に係合し、図１の状態では、鉄砲山９をカム面５ａに引き下げている。鉄砲山９はカム面５ａからカム側に突出する方向にばね付勢されており、鉄砲山レバー４５が図１で鉄砲山レバー揺動軸４６を支点として時計回り方向に揺動変位すれば、傾斜部４５ａによる引き下げ量が減少し、鉄砲山９がカム面５ａからカム側に突出するようになる。
【００２３】
図２は、度山Ｒ駆動バー３１のみが図１の矢印方向に変位し、鉄砲山駆動バー３２は変位しない状態を示す。図２（ａ）に機構側を示すように、度山Ｒレバー３６は、度山Ｒ駆動バー３１の変位に連動して度山Ｒローラ３８の接触を保つように、度山Ｒレバー揺動軸３７を支点として時計回り方向に揺動変位する。度山Ｒスライド部材３９は、長溝１２Ｒに沿って変位する。図１（ａ）では、度山Ｒ駆動バー３１に接触している度山Ｌ調整側ローラ４２は、度山Ｌレバー４０の同一の腕に設けられている度山Ｌ切換側ローラ４３が鉄砲山駆動レバー３２に接触する状態を保つので、度山Ｒ駆動バー３１の変位には追従しない。したがって、図２（ｂ）にカム側を示すように、符号１１Ｒで示す度山Ｒは、連結部材３９ｂ，３９ｃを介する駆動で長溝１２Ｒに沿って変位して度目調整されるのに対し、符号１１Ｌで示す度山Ｌは、長溝１２Ｌの上端付近で、編針の引き下げ量が最小となる休止位置を保つ。なお、鉄砲山９は、破線で示すように、カム面５ａに陥没する状態となっている。
【００２４】
図３は、度山Ｒ駆動バー３１と鉄砲山駆動バー３２とを、図１の矢印方向に変位させている状態を示す。図３（ａ）に機構側を示すように、度山Ｌレバー４０に設けられている度山Ｌ調整側ローラ４２および度山Ｌ切換側ローラ４３は、度山Ｒ駆動バー３１および鉄砲山駆動バー３２の変位に追従して変位するので、度山Ｌレバー４０は、度山Ｌレバー揺動軸４１を支点として図の反時計回り方向に揺動変位し、度山Ｌスライド部材４４を長溝１２Ｌに沿って変位させる。鉄砲山レバー４５も、鉄砲山レバー揺動軸４６を支点として、図の時計回り方向に揺動変位し、傾斜部４５ａでの鉄砲山９の引き下げを緩和する。したがって、図３（ｂ）のカム側に実線で示すように、鉄砲山９がカム面５ａから突出する状態となるとともに、符号１１Ｌで示す度山Ｌは、連結部材４４ｂ，４４ｃを介する駆動で符号１１Ｒで示す度山Ｒと同等の度目値まで変位する。
【００２５】
図４は、度山Ｒ駆動バー３１の下方への変位量を鉄砲山駆動バー３２の下方への変位量よりも小さくしている状態を示す。図４（ａ）に機構側を示すように、度山Ｒレバー３６および度山Ｌレバー４０は、度山Ｒローラ３８および度山Ｌ調整側ローラ４２がそれぞれ度山Ｒ駆動バー３１と接触している位置で、揺動変位の状態が規制される。鉄砲山駆動バー３２の下方への変位量は図３（ａ）と同等とすれば、度山Ｒ駆動バー３１の下方への変位量は図３（ａ）よりも小さくなる。この結果、図４（ｂ）にカム側として示す度山Ｒおよび度山Ｌの度目値は、図３（ｂ）に示す状態よりも小さくなる。
【００２６】
すなわち、鉄砲山駆動バー３２を充分に下方まで変位させておけば、度山Ｒ駆動バー３１の変位で、度山Ｒと度山Ｌとについて共通に度目調整が可能となる。このような度目調整は、特許文献１と同様に行うことができる。図２（ａ）に示すように、鉄砲山駆動バー３２を変位させなければ、度山Ｒ駆動バー３１の変位では、度山Ｒのみを度目調整し、度山Ｌは休止位置を保つようにすることができる。
【００２７】
なお、筒状編地編成のための周回編成時には、キャリッジ４の右行時に作用する度山Ｒを順方向側としているけれども、度山Ｌ側を順方向側とするように、各部の設定を変更することもできる。
【図面の簡単な説明】
【００２８】
【図１】本発明の実施の一形態である横編機３０の一方の針床側についての部分的な構成を簡略化して示すカム面５ａの機構側の配置図および部分的な側面図である。
【図２】図１の度山Ｒ駆動バー３１のみが図１の矢印方向に変位し、鉄砲山駆動バー３２は変位しない状態を示すカム面５ａの機構側の配置図、および対応するカム側の配置図である。
【図３】図１の度山Ｒ駆動バー３１と鉄砲山駆動バー３２とを、図１の矢印方向に変位させている状態を示すカム面５ａの機構側の配置図、および対応するカム側の配置図である。
【図４】図１の山Ｒ駆動バー３１の下方への変位量を鉄砲山駆動バー３２の下方への変位量よりも小さくしている状態を示すカム面５ａの機構側の配置図、および対応するカム側の配置図である。
【図５】従来から、手袋や靴下などの筒状の編地編成に使用される横編機１の概略的な構成を示す簡略化した平面図である。
【図６】図５に示すカム機構５で駆動する編針２０の概略的な構成を示す側面図である。
【図７】周回編成時の図５に示す各カムの作用を示すカム面５ａでのカム側の配置図である。
【図８】図５に示す横編機１での度山Ｒと度山Ｌとの位置関係のみを簡略化して示す図である。
【符号の説明】
【００２９】
２Ｆ  前針床
２Ｂ  後針床
４Ｆ，４Ｂ  キャリッジ
５  カム機構
８  レイジングカム
９  鉄砲山
１１Ｒ  度山Ｒ
１１Ｌ  度山Ｌ
３０  横編機
３１  度山Ｒ駆動バー
３２  鉄砲山駆動バー
３３  順側調整機構
３４  逆側調整機構
３５  切換機構
３６  度山Ｒレバー
３８  度山Ｒローラ
４０  度山Ｌレバー
４２  度山Ｌ調整側ローラ
４３  度山Ｌ切換側ローラ
４７  鉄砲山ローラ
【図１】
2008007916.tif 000003
【図２】
2008007916.tif 000004
【図３】
2008007916.tif 000005
【図４】
2008007916.tif 000006
【図５】
2008007916.tif 000007
【図６】
2008007916.tif 000008
【図７】
2008007916.tif 000009
【図８】
2008007916.tif 000010